(57)【要約】      （修正有）【課題】コスト増を招くことのない簡易な構造でガバナロープの伸縮量を抑えることのできること。【解決手段】本発明のガバナ装置は、上記課題を解決するために、昇降路のピット床１３の近傍に回転可能に配置され、ガバナロープ１０の下側折り返し部が巻装されたテンションプーリ２１と、ガバナロープ１０に所定の張力を付与するテンションウェート２３Ａとを少なくとも備えたガバナ装置において、テンションウェート２３Ａは、垂直方向の寸法を可変とする垂直寸法可変構造となっていると共に、一部がピット床１３に接触可能な高さ位置に配置され、ガバナロープ１０の伸縮に応じて垂直寸法可変構造の垂直寸法が可変され、ガバナロープ１０にかかる荷重が増減されることを特徴とする。【選択図】図２
2018203522.tif 000002
【特許請求の範囲】
【請求項１】
昇降路のピット床の近傍に回転可能に配置され、ガバナロープの下側折り返し部が巻装されたテンションプーリと、前記ガバナロープに所定の張力を付与するテンションウェートとを少なくとも備えたガバナ装置において、
前記テンションウェートは、垂直方向の寸法を可変とする垂直寸法可変構造となっていると共に、一部が前記ピット床に接触可能な高さ位置に配置され、前記ガバナロープの伸縮に応じて前記垂直寸法可変構造の垂直寸法が可変され、前記ガバナロープにかかる荷重が増減されることを特徴とするガバナ装置。
【請求項２】
前記ガバナ装置は、前記テンションプーリが回転可能に取り付けられた筐体と、前記昇降路内に設けられ乗りかごを案内する軌道となるガイドレールにレールクリップにより取り付けられたブラケットと、前記筐体に鉛直方向に沿って取り付けられ、前記ブラケットを遊嵌する振れ防止体とを更に備え、
前記テンションウェートは、前記筐体の下部に取り付けられていることを特徴とする請求項１に記載のガバナ装置。
【請求項３】
前記垂直寸法可変構造は、所定の径を有する複数個のおもりと、該複数個のおもり間をそれぞれ繋ぐワイヤとから成る蛇腹部から成っていることを特徴とする請求項１又は２に記載のガバナ装置。
【請求項４】
前記垂直寸法可変構造は、索状体から成ることを特徴とする請求項１又は２に記載のガバナ装置。
【請求項５】
前記索状体は、チェーンから成ることを特徴とする請求項４に記載のガバナ装置。
【請求項６】
昇降路を昇降する乗りかごと、該乗りかごの下部に備えられた第１及び第２のかご下プーリと、該第１及び第２のかご下プーリに巻きかけられ前記乗りかごを支える主ロープと、該主ロープのうち前記第１のかご下プーリに巻きかけられた後上方に向かう前記主ロープが巻きかけられる巻上機と、前記主ロープのうち前記第２のかご下プーリに巻きかけられた後上方に向かう前記主ロープが締結され、前記昇降路の頂部に設置されているロープ止めと、前記昇降路内に設けられ前記乗りかごを案内する軌道となるガイドレールと、前記乗りかごに設けられた非常止め装置と、前記乗りかごよりも上方に設置され、前記乗りかごの速度を検出するガバナプーリと、該ガバナプーリに上側折り返し部が巻装されるガバナロープと、該ガバナロープに連結部を介して接続され、前記乗りかごの速度が所定以上になった場合に前記非常止め装置を作動させるリンク機構と、前記乗りかごよりも下方に設置され、前記ガバナロープに張力を発生させるガバナ装置とを備えたエレベーターにおいて、
前記ガバナ装置は、請求項１から５のいずれか１項に記載のガバナ装置であることを特徴とするエレベーター。
【発明の詳細な説明】
【技術分野】
【０００１】
本発明はガバナ装置及びエレベーターに係り、特に、乗りかごの異常速度を検知し、非常停止装置を動作させることで乗りかごを停止させるものに好適なガバナ装置及びエレベーターに関する。
【背景技術】
【０００２】
一般的に、エレベーターには、昇降体、例えば乗りかごの異常速度を検知し、非常停止装置を動作させることで乗りかごを停止させるガバナ装置が備えられており、このガバナ装置は、ガバナ装置に備えられたガバナプーリと乗りかごの動きを、ガバナロープにより連動させることで、乗りかごの速度を検知している。
【０００３】
また、ガバナプーリとガバナ装置に備えられたテンションプーリには、乗りかごと連結された無端状のガバナロープが掛け渡されている。そして、ガバナプーリと乗りかごの動きを正確に連動させるために、テンションウェート（おもり）を有するガバナ装置により、ガバナロープに十分な張力を発生させている。
【０００４】
しかし、ガバナロープは、温湿度の変化等によって伸縮することが知られており、それゆえ、ガバナロープの短縮寸法が大きい場合、テンションプーリ及びテンションウェートが上昇し、テンションプーリがガバナロープを乗りかごに連結するかご連結部と干渉する虞がある。
【０００５】
一方、ガバナロープの伸長寸法が大きいと、テンションプーリがピット床に接触し、ガバナロープにテンションを与えられなくなり、ガバナプーリとガバナロープ間の摩擦力が低下し、ガバナロープがガバナプーリに対してスリップし、正確な速度検出ができなくなる虞がある。
【０００６】
このため、従来、テンションプーリ部分にテンションプーリの高さ位置を検出する検出スイッチを設け、ガバナロープの伸縮に対応したテンションプーリの位置を検出スイッチで検出し、その検出位置に応じて調速機を昇降調整機により昇降調整し、ガバナロープの伸縮を補正するものが特許文献１に記載されている。
【先行技術文献】
【特許文献】
【０００７】
【特許文献１】特開平０５−３０１６８７号公報
【発明の概要】
【発明が解決しようとする課題】
【０００８】
しかしながら、前述した特許文献１に記載された従来技術では、テンションプーリの高さ位置を検出する検出スイッチや、調速機を昇降調整する昇降調整機といった比較的大掛かりな装置を要し、コスト増を招くという課題があった。
【０００９】
本発明は上述の点に鑑みなされたもので、その目的とするところは、コスト増を招くことのない簡易な構造で、ガバナロープの伸縮量を抑えることのできるガバナ装置及びエレベーターを提供することにある。
【課題を解決するための手段】
【００１０】
本発明のガバナ装置は、上記目的を達成するために、昇降路のピット床の近傍に回転可能に配置され、ガバナロープの下側折り返し部が巻装されたテンションプーリと、前記ガバナロープに所定の張力を付与するテンションウェートとを少なくとも備えたガバナ装置において、前記テンションウェートは、垂直方向の寸法を可変とする垂直寸法可変構造となっていると共に、一部が前記ピット床に接触可能な高さ位置に配置され、前記ガバナロープの伸縮に応じて前記垂直寸法可変構造の垂直寸法が可変され、前記ガバナロープにかかる荷重が増減されることを特徴とする。
【００１１】
また、本発明のエレベーターは、上記目的を達成するために、昇降路を昇降する乗りかごと、該乗りかごの下部に備えられた第１及び第２のかご下プーリと、該第１及び第２のかご下プーリに巻きかけられ前記乗りかごを支える主ロープと、該主ロープのうち前記第１のかご下プーリに巻きかけられた後上方に向かう前記主ロープが巻きかけられる巻上機と、前記主ロープのうち前記第２のかご下プーリに巻きかけられた後上方に向かう前記主ロープが締結され、前記昇降路の頂部に設置されているロープ止めと、前記昇降路内に設けられ前記乗りかごを案内する軌道となるガイドレールと、前記乗りかごに設けられた非常止め装置と、前記乗りかごよりも上方に設置され、前記乗りかごの速度を検出するガバナプーリと、該ガバナプーリに上側折り返し部が巻装されるガバナロープと、該ガバナロープに連結部を介して接続され、前記乗りかごの速度が所定以上になった場合に前記非常止め装置を作動させるリンク機構と、前記乗りかごよりも下方に設置され、前記ガバナロープに張力を発生させるガバナ装置とを備えたエレベーターにおいて、前記ガバナ装置は、上記構成のガバナ装置であることを特徴とする。
【発明の効果】
【００１２】
本発明によれば、コスト増を招くことのない簡易な構造でガバナロープの伸縮量を抑えることができる。
【図面の簡単な説明】
【００１３】
【図１】本発明が適用されるエレベーターの全体構成を示す概略構成図である。
【図２】本発明のガバナ装置の実施例１であり、基準となる状態時のテンションウェートの状態を示す正面図である。
【図３】本発明のガバナ装置の実施例１であり、図２の状態からガバナロープが縮んだ際のテンションウェートの状態を示す正面図である。
【図４】本発明のガバナ装置の実施例１であり、図２の状態からガバナロープが伸びた際のテンションウェートの状態を示す正面図である。
【図５】本発明のガバナ装置の実施例２であり、基準となる状態時のテンションウェートの状態を示す正面図である。
【発明を実施するための形態】
【００１４】
以下、図示した実施例に基づいて本発明のガバナ装置及びエレベーターを説明する。なお、各図において、同一または類似の構成には同じ符号を付して繰り返しの説明は省略する。
【実施例１】
【００１５】
図１に、本発明が適用されるエレベーターの全体構成を示す。
【００１６】
該図に示すように、本実施例によるエレベーターは、昇降路１を昇降する乗りかご２と、乗りかご２の下部に備えられている第１及び第２のかご下プーリ３ａ及び３ｂと、この第１及び第２のかご下プーリ３ａ及び３ｂに巻きかけられ乗りかご２を支える主ロープ４と、この主ロープ４のうち、第１のかご下プーリ３ａに巻きかけられた後上方に向かう主ロープ４が巻きかけられた巻上機５と、主ロープ４のうち、第２のかご下プーリ３ｂに巻きかけられた後上方に向かう主ロープ４が締結され、昇降路１の頂部に設置されているロープ止め６と、昇降路１内に設けられ乗りかご２を案内する軌道となるガイドレール７と、乗りかご２に設けられた非常止め装置８と、乗りかご２よりも上方に設置され、乗りかご２の速度を検出するガバナ本体のガバナプーリ９と、ガバナプーリ９に上側折り返し部が巻装されたガバナロープ１０と、ガバナロープ１０に連結部１１を介して接続され、乗りかご２の速度が所定以上になった場合に非常止め装置８を作動させるリンク機構１２と、乗りかご２よりも下方に設置され、ガバナロープ１０に張力を発生させるガバナ装置２０Ａとから概略構成されている。
【００１７】
上述したガバナ装置２０Ａの具体的な構成を、図２、図３及び図４を用いて説明する。
【００１８】
図２は、本発明のガバナ装置２０Ａの実施例１であり、基準となる状態時のテンションウェート２３Ａの状態を示す図、図３は、図２の状態からガバナロープ１０が縮んだ際のテンションウェート２０Ａの状態を示す図、図４は、図２の状態からガバナロープ１０が伸びた際のテンションウェート２３Ａの状態を示す図である。
【００１９】
該図において、ガバナ装置２０Ａは、昇降路１のピット床１３の近傍に配置され、ガバナロープ１０の下側折り返し部が巻装されたテンションプーリ２１と、このテンションプーリ２１が回転可能に取り付けられた筐体２２と、この筐体２２の下部に取り付けられ、ガバナロープ１０に所定の張力を付与するテンションウェート（おもり）２３Ａと、乗りかご２を案内する軌道となるガイドレール７に、レールクリップ２４ａ、２４ｂにより取り付けられたブラケット２５と、筐体２２に鉛直方向に沿って取り付けられ、ブラケット２５を遊嵌する振れ防止体２６とから概略構成されている。
【００２０】
上述したテンションウェート２３Ａは、垂直方向の寸法を可変とする垂直寸法可変構造となっていると共に、一部がピット床１３に接触可能な高さ位置に配置され、ガバナロープ１０の伸縮に応じてガバナロープ１０にかかる荷重を増減するようになっている。
【００２１】
テンションウェート２３Ａの垂直寸法可変構造は、所定の径を有する複数個（本実施例では、符号３１ａ１、３１ａ２、３１ａ３、３１ａ４、３１ａ５の５個）の円盤状のおもり３１ａと、５個のおもり３１ａの間、即ち、おもり３１ａ１とおもり３１ａ２の間、おもり３１ａ２とおもり３１ａ３の間、おもり３１ａ３とおもり３１ａ４の間、おもり３１ａ４とおもり３１ａ５の間をそれぞれ繋ぐワイヤ３１ｂとから成る蛇腹部３１とから成っている。
【００２２】
本実施例にあっては、エレベーターの据付時は、図２に示すように、テンションウェート２３Ａの下部（おもり３１ａ１と３１ａ）は、ピット床１３に接触した状態であり、蛇腹部３１の一部が圧縮され、例えば、３Ｍグラム（おもり３１ａ３、３１ａ４、３１ａ５）の荷重がガバナロープ１０にかかる状態となっている。この状態が基準の状態となる。
【００２３】
そして、高温多湿となる時期には、ガバナロープ１０が縮み、蛇腹部３１は徐々に伸びる。更に、ガバナロープ１０が縮むと、蛇腹部３１は伸びきり、図３に示すように、テンションウェート２３Ａの下部は、ピット床１３から離間する。この状態では、例えば、５Ｍグラム（おもり３１ａ１、３１ａ２、３１ａ３、３１ａ４、３１ａ５）の荷重がガバナロープ１０にかかり、ガバナロープ１０には基準時より２Ｍグラム余分の張力が付与され、ガバナロープ１０が下方に引っ張られた状態となっている。
【００２４】
この状態（ガバナロープ１０が下方に引っ張られた状態）では、テンションプーリ２１及びテンションウェート２３Ａは上昇しないので、テンションプーリ２１が連結部１１に干渉することを防ぐことができる。
【００２５】
一方、乾燥期には、ガバナロープ１０は徐々に伸び、図４に示すように、テンションウェート２３Ａの下部（おもり３１ａ１、３１ａ２、３１ａ３）は、ピット床１３に接触し蛇腹部３１が更に圧縮され、例えば、２Ｍグラムの荷重（おもり３１ａ４、３１ａ５）がガバナロープ１０にかかる状態となる。
【００２６】
この状態（２Ｍグラムの荷重がガバナロープ１０にかかる状態）では、ガバナロープ１０には、基準時（３Ｍグラム）より１Ｍグラム少ない張力が付与され、ガバナロープ１０が下方に引っ張られないので張力が弱くなり、ガバナロープ１０が更に伸長することを抑制することができる。
【００２７】
なお、ガバナプーリ９と乗りかご２の動きを正確に連動させるために、ガバナロープ１０には、十分な張力を発生させる必要があり、そのためには、例えば、２Ｍグラムの荷重が必要である。
【００２８】
従って、経年的にガバナロープ１０が更に伸び、テンションウェート２３Ａの蛇腹部３１が更に圧縮し、ガバナロープ１０に付与する荷重が２Ｍグラムを下回る状態となった場合は、ガバナロープ１０の長さ調整作業（例えば、伸びたガバナロープ１０の一部を切断し、繋ぎ合わせて長さを調整する作業）を行う。
【００２９】
このような本実施例によれば、テンションウェート２３Ａが、垂直方向の寸法を可変とする垂直寸法可変構造、つまり、蛇腹部３１を備えると共に、その一部がピット床１３に接触可能な高さ位置に配置され、ガバナロープ１０の伸縮に応じてガバナロープ１０にかかる荷重を増減することにより、コスト増を招くことのない簡易な構造でガバナロープ１０の伸縮量を抑えることができる。
【００３０】
即ち、テンションウェートが一体物（従来技術）だと、ガバナロープ１０が伸縮した際に同じ荷重がかかるが、本実施例では、テンションウェート２３Ａが複数個（本実施例では５個）に分割されており、ガバナロープ１０の伸縮に応じて荷重を変えることができるので、コスト増を招くことのない簡易な構造でガバナロープ１０の伸縮量を抑えることができる。
【００３１】
これによって、本実施例では、低コストで、テンションウェート２３Ａの移動のために確保しなければならないスペースの低減を図り、かつ、手間のかかるガバナロープ１０の長さ調整作業を低減できる効果もある。
【実施例２】
【００３２】
次に、本発明のガバナ装置の実施例２について、図５用いて説明する。図５は、本発明のガバナ装置の実施例２を示し、基準となる状態時のテンションウェート２３Ｂの状態を示す図である。
【００３３】
図５に示す実施例のガバナ装置２０Ｂは、テンションウェート２３Ｂが、筐体２２の下部に釣支される索状体（例えば、チェーン）４１から成り、この索状体（例えば、チェーン）４１が、垂直方向の寸法を可変とする垂直寸法可変構造を構成している。
【００３４】
即ち、エレベーターの据付時、索状体４１の一部がピット床１３に接着しており、この状態（図５）が基準の状態となる。この状態からガバナロープ１０が縮むと索状体４１は徐々に持ち上げられ、索状体４１がピット床１３から離間した分、ガバナロープ１０には基準時より張力が付与される。一方、ガバナロープ１０が伸びると、索状体４１のピット床１３への接着量が増え、ガバナロープ１０には基準時より少ない張力が付与される。
【００３５】
このような本実施例によれば、テンションウェート２３Ｂを、コスト増を招くことのない索状体４１のような簡易な構造で、垂直方向の寸法を可変とする垂直寸法可変構造を構成することができる。
【００３６】
これによって、実施例１と同様な効果を得ることができることは勿論、実施例１より更に低コストで、テンションウェート２３Ｂの移動のために確保しなければならないスペースの低減を図り、かつ、手間のかかるガバナロープ１０の長さ調整作業を低減できる。
【００３７】
なお、上記した実施例は本発明を分かり易く説明するために詳細に説明したものであり、必ずしも説明した全ての構成を備えるものに限定されるものではない。また、ある実施例の構成の一部を他の実施例の構成を置き換えることが可能であり、また、ある実施例の構成に他の実施例の構成を加えることも可能である。また、各実施例の構成の一部について、他の構成の追加・削除・置換をすることが可能である。
【符号の説明】
【００３８】
１…昇降路、２…乗りかご、３ａ…第１のかご下プーリ、３ｂ…第２のかご下プーリ、４…主ロープ、５…巻上機、６…ロープ止め、７…ガイドレール、８…非常止め装置、９…ガバナプーリ、１０…ガバナロープ、１１…連結部、１２…リンク機構、１３…ピット床、２０Ａ、２０Ｂ…ガバナ装置、２１…テンションプーリ、２２…筐体、２３Ａ、２３Ｂ…テンションウェート、２４ａ、２４ｂ…レールクリップ、２５…ブラケッット、２６…振れ防止体、３１…蛇腹部、３１ａ１、３１ａ２、３１ａ３、３１ａ４、３１ａ５…おもり、３１ｂ…ワイヤ、４１…索状体。
【図１】
2018203522.tif 000003
【図２】
2018203522.tif 000004
【図３】
2018203522.tif 000005
【図４】
2018203522.tif 000006
【図５】
2018203522.tif 000007